(57)【特許請求の範囲】
【請求項１】
飲用の液体を詰入する容器本体の上部に筒部を立設し、この筒部の先端に液体を注出する注出口を設け、この注出口を隠蔽するコップ状の蓋体を前記容器本体の上部に被嵌状態となるように枢着して擺動可能に設けた液体容器であって、前記蓋体の内面に、この蓋体を前記容器本体の上部に被嵌装着した際に前記注出口を押圧閉塞して液体漏洩不能状態とする弾性変形する注出口閉塞部を設け、前記蓋体を前記容器本体の上部に装着した際に筒部の先端を覆い且つ一部が注出口から筒部の内部に侵入する形状に前記注出口閉塞部を構成し、前記蓋体と前記容器本体との枢着部と対向する位置にして蓋体の側壁に前記容器本体の上部に被嵌装着した際に該容器本体に係脱自在に係止する係止部を設け、該前記枢着部と対向する位置に押しボタンを外部に露出する状態に設け、この押しボタンのバネ体の弾圧付勢に抗する押動により前記容器本体の上部に被嵌された蓋体の係止部と前記容器本体との係止が解除されるように構成し、前記押しボタンを隠蔽して該押しボタンの押動を不能とする押しボタン隠蔽体のスライド移動操作により露出せしめることで押動可能となるように前記押しボタンを構成したことを特徴とする液体容器。
【請求項２】
前記注出口閉塞部としてゴム状の弾性体を採用したことを特徴とする請求項１記載の液体容器。
【請求項３】
前記容器本体の上部に通気孔を設け、前記蓋体を前記容器本体の上部に装着した際に前記通気孔を閉塞する通気孔閉塞部を前記蓋体の内面に設けたことを特徴とする請求項１，２のいずれか１項に記載の液体容器。
【請求項４】
前記容器本体として、断熱効果を有し且つ上部に開口部を有する有底容器体と、この開口部に着脱自在に設けられ且つ前記注出口を有する液体注出装置とを備えた容器本体を採用したことを特徴とする請求項１〜３のいずれか１項に記載の液体容器。
【発明の詳細な説明】
【０００１】
【発明の属する技術分野】
本発明は、魔法瓶等の液体容器に関するものである。
【０００２】
【従来の技術及び発明が解決しようとする課題】
液体を詰入する容器本体の上部に液体を注出する注出口を設け、この注出口を隠蔽するコップ状の蓋体を前記容器本体の上部に被嵌状態で設けた魔法瓶等の液体容器として様々なものが提案されている。
【０００３】
ところで、一般的な液体容器は、注出口の液体注出可能状態と液体注出不能状態とを切り替える注出操作機構が設けられており、容器本体内部の液体を注出する操作には、前記蓋体の取り外し操作と注出操作機構の操作の二つの操作が必須で厄介である。
【０００４】
しかし、蓋体の取り外し操作は省略することができない。なぜなら、蓋体は注出口から容器本体内にゴミ等が侵入しない為に設けられるもので、構成上必須だからである。
【０００５】
本発明は、上記課題に鑑みて達成されたもので、容器本体内部の液体を注出する操作を極めて簡単に行うことができる実用性に秀れた液体容器を提供することを目的としている。
【０００６】
【課題を解決するための手段】
添付図面を参照して本発明の要旨を説明する。
【０００７】
飲用の液体を詰入する容器本体１の上部に筒部14を立設し、この筒部14の先端に液体を注出する注出口２を設け、この注出口２を隠蔽するコップ状の蓋体３を前記容器本体１の上部に被嵌状態となるように枢着して擺動可能に設けた液体容器であって、前記蓋体３の内面に、この蓋体３を前記容器本体１の上部に被嵌装着した際に前記注出口２を押圧閉塞して液体漏洩不能状態とする弾性変形する注出口閉塞部４を設け、前記蓋体３を前記容器本体１の上部に装着した際に筒部14の先端を覆い且つ一部が注出口２から筒部14の内部に侵入する形状に前記注出口閉塞部４を構成し、前記蓋体３と前記容器本体１との枢着部10と対向する位置にして蓋体３の側壁に前記容器本体１の上部に被嵌装着した際に該容器本体１に係脱自在に係止する係止部11を設け、該前記枢着部10と対向する位置に押しボタン12を外部に露出する状態に設け、この押しボタン12のバネ体16の弾圧付勢に抗する押動により前記容器本体１の上部に被嵌された蓋体３の係止部11と前記容器本体１との係止が解除されるように構成し、前記押しボタン12を隠蔽して該押しボタン12の押動を不能とする押しボタン隠蔽体13のスライド移動操作により露出せしめることで押動可能となるように前記押しボタン12を構成したことを特徴とする液体容器に係るものである。
【０００８】
また、前記注出口閉塞部４としてゴム状の弾性体を採用したことを特徴とする請求項１記載の液体容器に係るものである。
【０００９】
また、前記容器本体１の上部に通気孔５を設け、前記蓋体３を前記容器本体１の上部に装着した際に前記通気孔５を閉塞する通気孔閉塞部６を前記蓋体５の内面に設けたことを特徴とする請求項１，２のいずれか１項に記載の液体容器に係るものである。
【００１０】
また、前記容器本体１として、断熱効果を有し且つ上部に開口部７を有する有底容器体８と、この開口部７に着脱自在に設けられ且つ前記注出口２を有する液体注出装置９とを備えた容器本体１を採用したことを特徴とする請求項１〜３のいずれか１項に記載の液体容器に係るものである。
【００１１】
【発明の実施の形態】
好適と考える本発明の実施の形態（発明をどのように実施するか）を、図面に基づいてその作用効果を示して説明する。
【００１２】
容器本体１の上部に被嵌されている蓋体３を取り外すと、注出口２を押圧閉塞して液体漏洩不能状態としていた注出口閉塞体４の該押圧閉塞が解除され、注出口２からの液体注出が可能な状態となる。
【００１３】
また、容器本体１の上部に蓋体３を被嵌装着すると、蓋体３の内面に設けられている注出口閉塞体４が注出口２を押圧閉塞し、注出口２からの液体注出が不能な状態となる。
【００１４】
即ち、蓋体３の装着や取り外し操作のみにより、注出口２を液体注出可能状態としたり液体注出不能状態とする操作を簡単に行うことができる。
【００１５】
【実施例】
本発明の具体的な実施例について図面に基づいて説明する。
【００１６】
本実施例は、液体を詰入する容器本体１の上部に液体を注出する注出口２を設け、この注出口２を隠蔽するコップ状の蓋体３を前記容器本体１の上部に被嵌状態で設けた液体容器であって、前記蓋体３の内面に、この蓋体３を前記容器本体１の上部に装着した際に前記注出口２を押圧閉塞して液体漏洩不能状態とする注出口閉塞部４を設けたものである。
【００１７】
容器本体１は、上部に開口部７を有する真空断熱二重容器製の有底容器体８と、この開口部７に着脱自在に設けられ且つ前記注出口２を有する液体注出装置９とを備えた容器本体１を採用している。
【００１８】
また、液体注出装置９に筒部14を立設し、この筒部14の先端に前記注出口２を設けている。従って、本実施例によれば、筒部14を利用して容器本体１内の液体をラッパ飲みすることができる。
【００１９】
また、液体注出装置９の上部に通気孔５を設け、前記蓋体３を前記容器本体１の上部に装着した際に通気孔５に挿入されて該通気孔５を閉塞する通気孔閉塞部６を前記蓋体５の内面に設けている。従って、本実施例によれば、ラッパ飲みの際には、蓋体３の取り外しにより通気孔５が開放される為、容器本体１内に詰入されていた液体が注出口２から良好に注出されることになり、また、蓋体３を容器本体１に装着した際には、通気孔閉塞部６により通気孔５が閉塞される為、前記注出口２からの液体漏洩がより一層確実に防止されることになる。
【００２０】
蓋体３は、前記容器本体１の上部側面に枢着されている。また、この蓋体３の枢着部10と対向する位置にして蓋体３の側壁に前記容器本体１と係脱自在に構成された係止部11を設け、この係止部11と容器本体１との係止を解除することで蓋体３を擺動可能とし、この蓋体３の枢着部10側への擺動により、該蓋体３を容器本体１の上部から取り外す構成を採用している。従って、本実施例によれば、蓋体３の擺動操作という極めて簡易な操作により、注出口２から容器本体１内の液体を注出可能とすることができる。
【００２１】
また、蓋体３の枢着部10と対向する位置にして液体注出装置９の側面に弾性体収納部15を設け、この弾性体収納部15に弾性体としてバネ体16を配設し、このバネ体16の先端にして外部に露出する位置に押しボタン12を連設し、この押しボタン12に前記蓋体３の係止部11と係脱自在に係合する係合部17を設け、この係合部17は、前記バネ体16の弾圧付勢に抗して押しボタン12を押動した際、該係合部17と前記蓋体３の係止部11との係合が解除されるように構成している。従って、本実施例によれば、容器本体１の上部に被嵌された蓋体３を取り外す際、押しボタン12を押動して押しボタン12の係合部17と蓋体３の係止部11との係合を解除する操作が必須となり、枢着部10を軸に擺動する蓋体３でありながら、押しボタン12を押動しない限り不意に蓋体３の容器本体１の上部への被嵌が解除されたりしない（即ち、不意に注出口２が開放されたりしない。）ことになる。
【００２２】
尚、蓋体３を常時枢着部10側へ擺動するように付勢する弾性機構を設ければ、前記押しボタン12の押動操作のみにより、蓋体３を取り外せることになる。
【００２３】
また、蓋体３の側面には前記押しボタン12を隠蔽する押しボタン隠蔽体13を上下スライド自在に設け、常時は、この押しボタン隠蔽体13により押しボタン12を隠蔽して該押しボタン12の押動を不能とし（即ち、蓋体３の取り外しを不能とし）、容器本体１の上部から蓋体３を取り外す際には、この押しボタン隠蔽体13の上方へスライド移動せしめることにより押しボタン12を露出せしめて該押しボタン12を押動可能とするように構成している。従って、本実施例によれば、押しボタン隠蔽体13をスライド移動しない限り、不意に押しボタン12が押動されることがなく、必然的に、不意に蓋体３の容器本体１の上部への被嵌が解除されたりすること（即ち、不意に注出口２が開放されたりすること。）が確実に防止されることになる。尚、図中、符号19は、押しボタン隠蔽体13のスライド移動を容易にせしめる為の操作凹部、20は押しボタン隠蔽体13と蓋体３とをスライド自在に係合せしめる係合突起である。
【００２４】
注出口閉塞部４は、前記蓋体３を前記容器本体１の上部に被嵌装着した際に筒部14の先端を覆い且つ一部が注出口２から筒部14の内部に侵入する形状に設定している。また、この注出口閉塞部４は、ゴム状の弾性体製のものが採用されている。従って、本実施例によれば、蓋体３を容器本体１の上部に被嵌装着した際、筒部14の先端が注出口閉塞部４に食い込み、注出口閉塞部４の一部が注出口２の先端縁内面及び外面に密着することになり、注出口２からの液体漏洩が確実に阻止されることになる。
【００２５】
また、この注出口閉塞部４の弾性変形を前記注出口２を閉塞できる程度に抑制する為、蓋体３の内面に支持部18を突設し、この支持部18に注出口閉塞部４を被嵌状態で設ける構成を採用している。従って、本実施例によれば、注出部閉塞口４の弾性変形し過ぎによって注出口２の閉塞が解除されてしまうことは阻止される。
【００２６】
また、通気孔閉塞部６も前記注出口閉塞部４と同様の素材のものが採用されている。従って、本実施例によれば、通気孔閉塞部６と通気孔５の内面とが密着することになり、通気孔５からの液体漏洩及び通気漏洩が確実に防止され、必然的に、注出口２からの液体漏洩がより一層確実に阻止されることになる。
【００２７】
尚、図中、符号21は、有底容器体８と液体注出装置９との間隙から液体が漏洩することを防止するパッキンである。
【００２８】
以上、本実施例は上述のように構成したから、蓋体３を擺動せしめるだけで注出口閉塞部４による注出口２の押圧閉塞が開放され、容器本体１内の液体をラッパ飲みすることができる実用性，操作性に秀れた液体容器となる。
【００２９】
また、蓋体３を容器本体１の上部に被嵌装着するだけで、蓋体３の内面に設けられた注出口閉塞部４が注出口２を押圧隠蔽することになり、簡単且つ確実に注出口２からの液体漏洩を防止できる実用性，操作性に秀れた液体容器となる。
【００３０】
また、注出口２から液体注出可能としたり液体注出不能としたりする構成が蓋体３に設けられている為、液体注出装置９の構成が簡易となり、洗浄作業を容易に行える実用性に秀れた液体容器となる。
【００３１】
また、通気孔５の存在により、注出口２から液体が注出された分、該通気孔５から容器本体１内に空気が流入して容器本体１内の容器が外部に注出され易く、この通気孔５も、蓋体３を容器本体１の上部に被嵌装着した際、通気孔閉塞部６により閉塞されて通気不能となる為、注出口２からの液体漏洩がより一層確実に防止される実用性，機能性に秀れた液体容器となる。
【００３２】
また、蓋体３の擺動を可能にする押しボタン12及びこの押しボタン12の押動を可能にしたり不能にしたりする押しボタン隠蔽体13の存在により、不意に蓋体３が擺動することが確実に防止されるより一層実用性，作動性に秀れた液体容器となる。
【００３３】
【発明の効果】
本発明は上述のように構成したから、蓋体の装着や取り外し操作のみによって蓋体の内面に設けられた注出口閉塞部が注出口を液体注出可能状態としたり液体注出不能状態としたりすることになり、よって、容器本体内部の液体を注出する操作を極めて簡単に行うことができる実用性，操作性に秀れた液体容器となる。
【００３４】
また、本発明は、筒部の先端に注出口が設けられた構成であるから、この筒部を利用して簡単に容器本体内の液体をラッパ飲みすることができ、しかも、蓋体の内面と注出口が近接し、注出口閉塞部による注出口の押圧閉塞がより一層確実に行われる実用性に秀れた液体容器となる。
【００３５】
また、注出口閉塞部が筒部の先端を覆い且つ一部が注出口から筒部の内部に侵入する形状である為、注出口閉塞部が筒部の先端内面に密着することになり、より一層確実に注出口の液体漏洩不能状態を達成できる実用性，液体漏洩防止性に秀れた液体容器となる。
【００３６】
また、本発明は、蓋体を枢着部を軸に擺動することで該蓋体の被嵌装着及び取り外し操作を行うことができ、より一層操作性に秀れた液体容器となる。
【００３７】
また、本発明は、押しボタンを押動しない限り蓋体が擺動できず、よって、不意に蓋体が外れて注出口が液体注出可能状態となったりしない実用性に秀れた液体容器となる。
【００３８】
また、本発明は、押しボタン隠蔽体をスライド移動操作しない限り押しボタンを押動できず、よって、より一層確実に不意に蓋体が外れて注出口が液体注出可能状態となったりしない実用性に秀れた液体容器となる。
【００３９】
請求項２記載の発明においては、注出口閉塞部がゴム状の弾性体であるから、容器本体の上部に蓋体を被嵌装着した際、注出口閉塞部が注出口に確実に密着することができ、注出口の液体漏洩不能状態を極めて確実に達成できる実用性，液体漏洩防止性に秀れた液体容器となる。
【００４０】
請求項３記載の発明においては、通気孔の存在により、注出口から液体が注出された分、該通気孔から容器本体内に空気が流入して容器本体内の容器が外部に注出され易く、しかも、この通気孔も、蓋体を容器本体の上部に被嵌装着した際、通気孔閉塞部により閉塞されて通気不能となる為、注出口からの液体漏洩がより一層確実に防止される実用性，機能性に秀れた液体容器となる。
【００４１】
請求項４記載の発明においては、例えば、有底容器体は一般的に使用されているものを採用し、注出口等の本発明独自の構成は液体注出装置に設けることができ、非常に製造性に秀れた液体容器となる。
【図面の簡単な説明】
【図１】  本実施例の要部の説明側断面図である。
【図２】  本実施例の要部の説明側断面図である。
【図３】  本実施例の押しボタン隠蔽体13の作動を示す説明図である。
【符号の説明】
１  容器本体
２  注出口
３  蓋体
４  注出口閉塞体
５  通気孔
６  通気孔閉塞体
７  開口部
８  有底筒体
９  液体注出装置
10  枢着部
11  係止部
12  押しボタン
13  押しボタン隠蔽体
14  筒部
16 バネ体
【図１】
0003717385.tif 000002
【図２】
0003717385.tif 000003
【図３】
0003717385.tif 000004